(57)【特許請求の範囲】
【請求項１】
販売商品に付された商品データをハンドスキャナで読取り、その読取った商品データ及び各種登録用キーのキー入力データに基づいて商品の販売登録業務を行う電子式キャッシュレジスタにおいて、
画面上にカーソルを表示可能な表示部と、前記各種登録用キーの項目を前記表示部に表示させるキー項目表示制御手段と、前記ハンドスキャナに設けられ、前記表示部のカーソルを移動させるカーソル移動手段と、前記ハンドスキャナに設けられ、前記カーソルが指示したキー項目の決定を指令する項目決定スイッチと、この項目決定スイッチからの決定信号に応動して前記カーソルが指示するキー項目のキー処理業務を実行するキー処理業務制御手段とを具備したことを特徴とする電子式キャッシュレジスタ。
【請求項２】
販売商品に付された商品データをハンドスキャナで読取り、その読取った商品データ及び各種登録用キーのキー入力データに基づいて商品の販売登録業務を行う電子式キャッシュレジスタにおいて、
画面上にカーソルを表示可能な表示部と、前記各種登録用キーのなかで次に操作可能なキーの項目を前記表示部に表示させるキー項目表示制御手段と、前記ハンドスキャナに設けられ、前記表示部のカーソルを移動させるカーソル移動手段と、前記ハンドスキャナに設けられ、前記カーソルが指示したキー項目の決定を指令する項目決定スイッチと、この項目決定スイッチからの決定信号に応動して前記カーソルが指示するキー項目のキー処理業務を実行するキー処理業務制御手段とを具備したことを特徴とする電子式キャッシュレジスタ。
【発明の詳細な説明】
【０００１】
【産業上の利用分野】
本発明は、単体で若しくはＰＯＳ（販売時点情報管理）システムにおける商品登録用端末、いわゆるＰＯＳターミナルとして機能する電子式キャッシュレジスタに関わり、特に商品に付される商品コード等の商品データを読取るハンドスキャナを備えた電子式キャッシュレジスタに関する。
【０００２】
【従来の技術】
従来、特開昭６３−３９０９７号公報等に見られるように、電子式キャッシュレジスタに接続され商品に付される商品コード等の商品データを読取るハンドスキャナの握り部近傍に、エラー状態の解除を指令するクリアキー等の特定のキーを設け、この特定のキーの入力操作をハンドスキャナを持った手で行えるようにして、キャッシャの操作性向上を図るようにしたものがあった。
【０００３】
【発明が解決しようとする課題】
しかしながら、ハンドスキャナはキャッシャが片手で持って操作し易いように、小型かつ計量化を図る必要があるため、設けることができるキーの数には制限があり、せいぜい３〜４個であった。このため、大部分のキーは依然として電子式キャッシュレジスタのキーボードから入力しなければならず、１客が買上げる全商品の登録を開始してから終了までの間には何度かハンドスキャナから手を放すか、あるいはハンドスキャナを持ったまま他方の手で電子式キャッシュレジスタのキーボードを操作する必要があった。
【０００４】
本発明はこのような事情に基づいてなされたものであり、その目的とするところは、ハンドスキャナの小型，軽量化を図りつつ、そのハンドスキャナから手を放すことなく多数のキーを入力することができ、１客が買上げる商品の登録開始から終了までの間で電子式キャッシュレジスタのキーボードの操作を不要にできる電子式キャッシュレジスタを提供しようとするものである。
【０００５】
【課題を解決するための手段】
本発明は、販売商品に付された商品データをハンドスキャナで読取り、その読取った商品データ及び各種登録用キーのキー入力データに基づいて商品の販売登録業務を行う電子式キャッシュレジスタにおいて、画面上にカーソルを表示可能な表示部と、各種登録用キーの項目を表示部に表示させるキー項目表示制御手段と、ハンドスキャナに設けられ、表示部のカーソルを移動させるカーソル移動手段と、ハンドスキャナに設けられ、カーソルが指示したキー項目の決定を指令する項目決定スイッチと、この項目決定スイッチからの決定信号に応動してカーソルが指示するキー項目のキー処理業務を実行するキー処理業務制御手段とを備えたものである。
【０００６】
そして、キー項目表示制御手段は、各種登録用キーのなかで次に操作可能なキーの項目を表示部に表示させるようにすると好都合である。
【０００７】
【作用】
このような構成の本発明の電子式キャッシュレジスタであれば、表示部にはキー項目表示制御手段により各種登録用キーの項目がカーソルとともに表示されている。この状態で、キャッシャはハンドスキャナを片手で持ち、他方の手で客が買上げる商品を持って、この商品に付された商品データを読取ることにより商品登録を行う。また、各種登録用キーのなかの１キーを操作する必要が生じた場合には、キャッシャはハンドスキャナを持ったまま該スキャナに設けられたカーソル移動手段を操作してカーソルを所望するキー項目の表示位置に移動させた後、同じくハンドスキャナに設けられた項目決定スイッチを操作する。そうすると、キー処理業務制御手段によりカーソルが指示するキー項目のキー処理業務が実行される。
【０００８】
従って、１客が買上げる商品の登録開始から締めまでの商品データ読取り操作及び各種登録用キーの入力操作をハンドスキャナを放すことなく行うことができる。
【０００９】
【実施例】
以下、本発明の一実施例を図面を用いて説明する。
図１はこの実施例における電子式キャッシュレジスタの外観斜視図であって、図示するように、キャッシュレジスタ本体１の正面にキーボード２及びキャッシャ用の正面表示器３が設けられており、背面に客用の客面表示器４が設けられている。また、キャッシュレジスタ本体１の下部に現金等を収納するためのドロワ５が設置されている。さらに、キャッシュレジスタ本体１の内部にはレシート用紙及びジャーナル用紙にデータ印字するためのプリンタ６が搭載されており、このプリンタ６によって印字されたレシート用紙はレシート発行口７から排出され、ジャーナル用紙はキャッシュレジスタ本体１の内部にて巻き取られるようになっている。
【００１０】
前記キーボード２は、各販売商品のうち商品コードを示すバーコードが付されていない商品の商品コードがそれぞれプリセットされる複数のプリセットキーが配設されたプリセットキーボード２ａと、図２に示すように、「００］，「０」〜「９」の置数キー，「Ｃ」のクリアキー，「替」の両替キー，「責任者」の責任者キー，「取消」の取消キー，「リピート」のリピートキー，「入金」の入金キー，「値引」の値引キー，「割引」の割引キー，「小計」の小計キー，「クーポン」のクーポン支払い締めキー，「クレジット」のクレジット支払い締めキー，「現計」の現金支払い締めキー等の各種登録用キーが配設されたファンクションキーボード２ｂとで構成される。
【００１１】
また、このキーボード２には、「登録」，「点検」，「精算」，「設定」等の各種業務モードを選択的に切換える鍵にて切換操作可能なモードスイッチ８が設けられている。因みに、「登録」モードとは、販売商品に付された商品コード等の商品データを入力することによりその商品の販売データを記憶部に売上げ登録処理するとともに品名，値段等の登録明細データを表示器３，４に表示し、かつ１客が買上げる全商品の登録終了を指示する締めキーの入力に応じてその客買上げ商品の合計金額を表示器３，４に表示するとともに登録明細データ及び合計データが印字されたレシートを発行する業務のモードである。
【００１２】
「点検」モードとは、「登録」により商品販売データが登録処理された記憶部の内容を点検レポートとして記録紙（レシート用紙及びジャーナル用紙の少なくとも一方）に印字出力する業務のモードであり、「精算」モードとは、「点検」と同様に記憶部の内容を精算レポートとして記録紙に印字出力した後、記憶部の内容をクリアする業務のモードであり、「設定」モードとは、各種業務を実行する上で必要なデータを予め記憶部に設定する業務のモードである。
【００１３】
ところで、この電子式キャッシュレジスタは、各商品に付される商品コードを示すバーコードを光学的に読取るための手持ち式のスキャナ、いわゆるハンドスキャナ９を接続している。
このハンドスキャナ９の側面図及び平面図を図３の（ａ），（ｂ）に示す。図示するように、このハンドスキャナ９はキャッシャが握り部９ａを片手で握って持ち、その先端部の読取り窓１０を商品のバーコードに向けることによりそのバーコードを内部のバーコード読取り部１１にて光学的に読み取るものである。そして、握り部９ａの一方の側面には後述するカーソル４４を移動させるトラックボール，ジョイスティック，十字キー等のカーソル移動手段１２が設けられており、他方の側面には前記カーソル４４が指示したキー項目の決定を指令する項目決定スイッチ１３が設けられている。
【００１４】
図４はかかる電子式キャッシュレジスタの要部構成を示すブロック図であって、この電子式キャッシュレジスタは、制御部本体としてＣＰＵ（中央処理装置）２１を搭載している。また、前記ＣＰＵ２１を制御するプログラム等の固定的データが予め格納されるＲＯＭ（リード・オンリ・メモリ）２２と、前記商品販売データを登録処理する記憶部が形成されるＲＡＭ（ランダム・アクセス・メモリ）２３とを搭載している。
【００１５】
また、この電子式キャッシュレジスタは、日時を計時する時計回路２４、上位機種として通信回線により接続されたストアプロセッサとの間で行われるデータの送受信を制御する通信インタフェース２５、前記モードスイッチ８の信号が入力されるとともに、前記ドロワ５を自動開放するドロワ開放装置５ａへの駆動信号を送出するＩ／Ｏポート２６、前記キーボード２からのキー入力信号を取込むキーボードコントローラ２７、前記正面表示器３及び客面表示器４にそれぞれ表示データを送出する表示器コントローラ２８、前記プリンタ６に印字データを送出するプリンタコントローラ２９、前記ハンドスキャナ９からの信号を取込むスキャナコントローラ３０等を搭載している。
そして、前記ＣＰＩ２１と、ＲＯＭ２２，ＲＡＭ２３，時計回路２４，通信インタフェース２５，Ｉ／Ｏポート２６及び各コントローラ２７，２８，２９，３０とは、アドレスバス，データバス等のバスライン３１で相互に接続されている。
【００１６】
ここで、前記スキャナコントローラ３０に対しては、ハンドスキャナ９のバーコード読取部１１にて読取られたバーコード信号の他に、カーソル移動手段１２の操作により発生する移動コード信号と、項目決定スイッチ１３の操作により発生する決定コード信号が入力される。
【００１７】
図５は前記正面表示器３の「登録」モード選択時における表示画面を示している。図示するように、前記正面表示器３の表示画面は、「登録」モード選択時には、販売商品の登録明細データ（商品名，単価，数量，金額，税区分）の表示エリア４１と、税及び合計金額の表示エリア４２と、キー項目表示エリア４３とに区分される。
【００１８】
ここで、キー項目表示エリア４３は、左上から右方向に順に（１，１），（１，２），（１，３），（１，４）の座標（Ｘ，Ｙ）がそれぞれ設定された４区画と、左下から右方向に順に（２，１），（２，２），（２，３），（２，４）の座標（Ｘ，Ｙ）がそれぞれ設定された４区画の計８区画に分けられている。そして各区画は、キー項目名称の表示領域４３ａとカーソル４４の表示領域４３ｂとに分けられており、カーソル４４は、前記ハンドスキャナ９に設けられたカーソル移動手段１２により上下，左右に１区画ずつ移動可能になっている。ここに、正面表示器３のキー項目表示エリア４３は、画面上にカーソルを表示可能な表示部を構成する。
【００１９】
図６は前記ＲＡＭ２３に形成される商品販売データ登録処理用の記憶部以外の主要なメモリエリアを示している。図示するように、前記ＲＡＭ２３には、前記キー項目表示エリア４３の各座標（Ｘ，Ｙ）に対応してテーブル番号別にキー項目コード及びキー項目名称を予め設定してなるキー項目テーブル５１と、このキー項目テーブル５１のテーブル番号を計数するテーブル番号カウンタ（ＴＢＣ）５２と、前記キー項目表示エリア４３のＸ座標を計数するＸ座標カウンタ５３と、同じくＹ座標を計数するＹ座標カウンタ５４と、１客が買上げる商品の販売登録中にセットされる登録中フラグや１客に対する小計金額の出力中にセットされる小計済フラグ等を記憶するフラグメモリ５５と、直前に販売登録した商品の商品コードを一時記憶する直前登録メモリ５６と、１客が買上げる全商品の販売金額を加算する売上金額合計器５７と、１客が買上げる全商品のうち外税が賦課される商品の販売金額を加算する課税対象額合計器５８とが形成されている。
【００２０】
ここで、前記キー項目テーブル５１には、前記ファンクションキーボード２ｂに設けられている各種の商品登録用キーのうち、テーブル番号「１」のデータとして客買上商品の販売登録開始前に操作可能なキー（責任者キー，入金キー，両替キー，クリアキー，取消キー等）のキー項目コード及びキー項目名称が設定されており、テーブル番号「２」のデータとして客買上商品の販売登録中に操作可能なキー（小計キー，リピートキー，値引キー，クリアキー，取消キー等）のキー項目コード及びキー項目名称が設定されており、テーブル番号「３」のデータとして客買上商品の小計出力中に操作可能なキー（現金支払い締めキー，クレジット支払い締めキー，クーポン支払い締めキー，クリアキー，取消キー，割引キー等）のキー項目コード及びキー項目名称が設定されている。
【００２１】
しかして、前記ＣＰＵ２１は、前記モードスイッチ８により登録モードが選択されている状態で、特に図７の流れ図に示すキー項目表示処理を実行するようにＲＯＭ２２内のプログラムによって制御されている。すなわち、ＣＰＵ２１は、前記テーブル番号カウンタ（ＴＢＣ）５２のカウント値が変化する毎にこのキー項目表示処理を開始する。
【００２２】
そして、先ず、テーブル番号カウンタ５２のカウント値に対応したテーブル番号のキー項目テーブル５１に座標別に設定されているキー項目名称を読出し、これらのキー項目名称を前記正面表示器３におけるキー項目表示エリア４３の対応する座標の表示領域４３ａに表示する。しかる後、Ｘ座標カウンタ５２のカウント値及びＹ座標カウンタ５３のカウント値をそれぞれ“１”に初期化し、キー項目表示エリア４３の座標（１，１）のカーソル表示領域４３ｂにカーソル４４を表示したならば、この処理を終了する。
【００２３】
ここに、ＣＰＵ２１は、各種登録用キーのなかで次に操作可能なキーの項目を表示部（キー項目表示エリア４３）に表示させるキー項目表示制御手段を構成する。
【００２４】
また、前記ＣＰＵ２１は、前記モードスイッチ８により登録モードが選択されている状態で、特に図８の流れ図に示すスキャナ入力処理を実行するようにＲＯＭ２２内のプログラムによって制御されている。すなわち、ＣＰＵ２１は、前記スキャナコントローラ３０を介してハンドスキャナ９からの信号を入力する毎にこのスキャナ入力処理を開始する。
【００２５】
そして、先ず、入力信号がバーコード読取り部１１にて読取られたバーコードによって表わされた商品コードの信号なのか、カーソル移動手段１２の操作により発生したカーソル移動コードの信号なのか、項目決定スイッチ１３の操作により発生した決定コードの信号なのかを判別する。
【００２６】
ここで、商品コードの信号の場合には、図９にて具体的に示す商品登録処理を実行する。すなわち、ＣＰＵ２１は、ＳＴ（ステップ）１としてフラグメモリ５５に登録中フラグがセットされているか否かを判断し、セットされていない場合には客が買上げる最初の商品の登録と認識して、ＳＴ２として該登録中フラグをセットする。また、ＳＴ３として売上金額合計器５７及び課税対象額合計器５８を“０”にクリアする。さらに、ＳＴ４としてテーブル番号カウンタ５２のカウント値を“２”に更新する。なお、ＳＴ１にて既に登録中フラグがセットされている場合には、１客が買上げる２点目以降の商品登録なので、上記ＳＴ２〜ＳＴ４の処理は行わない。
【００２７】
次に、ＣＰＵ２１は、ＳＴ５として直前登録メモリ５６の内容を入力した商品コードに更新するとともに、ＳＴ６としてこの入力商品コードに基づいて商品販売データを取得し、ＲＡＭ３の記憶部に売上登録処理する。例えば、各商品の商品コードに対応して品名，単価，税種等の商品データがプリセットされた商品ファイルがＲＡＭ３若しくはストアプロセッサに設けられており、この商品ファイルから入力商品コードに対応する商品データを読出す。そして、販売点数を“１”とし、販売金額を単価として商品販売データを取得し、記憶部に売上登録処理する。
【００２８】
次に、ＣＰＵ２１は、ＳＴ７として売上金額合計器５７に上記販売金額を加算する。また、ＳＴ８として入力商品コードに対応する税種から外税商品か否かを判断し、外税商品の場合には、ＳＴ９として上記販売金額を課税対象額合計器５８にも加算する。しかる後、ＳＴ１０として上記品名，単価，販売点数，販売金額及び税種を正面表示器３の表示エリア４１と客面表示器４に表示するとともに、プリンタ６を駆動してレシート用紙及びジャーナル用紙に上記品名，販売金額等を印字したならば、この処理を終了する。
【００２９】
前記スキャナ入力処理において、ハンドスキャナ９からの入力手段がカーソル移動コードの信号の場合には、図１０にて具体的に示すカーソル移動処理を実行する。すなわち、カーソル移動コードの信号が右移動を示すコードの信号の場合には、Ｙ座標カウンタ５３のカウント値が“４”未満であれば「＋１」カウントアップする。しかる後、キー項目表示エリア４３の座標（Ｘ，Ｙ）のカーソル表示領域４３ｂにカーソル４４を表示したならば、この処理を終了する。
【００３０】
また、カーソル移動コードの信号が左移動を示すコードの信号の場合には、Ｙ座標カウンタ５３のカウント値が“１”より大きければ「−１」カウントダウンする。しかる後、キー項目表示エリア４３の座標（Ｘ，Ｙ）のカーソル表示領域４３ｂにカーソル４４を表示したならば、この処理を終了する。
【００３１】
一方、カーソル移動コードの信号が下移動を示すコードの信号の場合には、Ｘ座標カウンタ５２のカウント値が“２”未満であれば「＋１」カウントアップする。しかる後、キー項目表示エリア４３の座標（Ｘ，Ｙ）のカーソル表示領域４３ｂにカーソル４４を表示したならば、この処理を終了する。
【００３２】
また、カーソル移動コードの信号が上移動を示すコードの信号の場合には、Ｘ座標カウンタ５３のカウント値が“１”より大きければ「−１」カウントダウンする。しかる後、キー項目表示エリア４３の座標（Ｘ，Ｙ）のカーソル表示領域４３ｂにカーソル４４を表示したならば、この処理を終了する。
【００３３】
前記スキャナ入力処理において、ハンドスキャナ９からの入力手段が決定コードの信号の場合には、前記テーブル番号カウンタ５２のカウント値に対応したテーブル番号の前記キー項目テーブル５１からＸ座標カウンタ５３及びＹ座標カウンタ５４のカウント値が示す座標（Ｘ，Ｙ）に対応するキー項目コードを読出して、このキー項目コードのキー入力処理を実行する。
【００３４】
図１１は小計キーのキー入力処理を具体的に示す流れ図であって、フラグメモリ５５に登録中フラグがセットされている状態で、小計キーのキー項目コードが入力された場合には、先ず、テーブル番号カウンタ５２のカウント値を“３”に更新する。次に、課税対象額合計器５８内の金額に税率を乗算して税額を計算し、この税額を売上金額合計器５７内の金額に加算して税込み合計金額を計算する。そして、この税額及び税込み合計金額を正面表示器３の表示エリア４２と客面表示器４に表示する。しかる後、フラグメモリ５５に小計済フラグＦをセットしたならば、この処理を終了する。
【００３５】
図１２は現金支払い締めキー，クレジット支払い締めキー，クーポン支払い締めキー等の締めキーのキー入力処理を具体的に示す流れ図であって、フラグメモリ５５に登録中フラグがセットされている状態で、締めキーのキー項目コードが入力された場合には、先ず、テーブル番号カウンタ５２のカウント値を“１”に更新する。次に、代金支払い方法に応じた登録締め処理を実行する。例えば現金支払い締めキーの入力の場合には代金支払い方法が現金なので、キーボード２の置数キーを操作して預り金額を入力しその預り金額から税込み合計金額を減額して釣銭額を算出して正面表示器３及び客面表示器４に表示する。
【００３６】
次に、プリンタ６を駆動してレシート用紙及びジャーナル用紙に税額，税込み合計金額，支払い方法等の登録締めデータを印字し、レシートをレシート発行口７より発行する。しかる後、フラグメモリ５５の小計済フラグ及び登録中フラグをいずれもリセットしたならば、この処理を終了する。
【００３７】
ここに、ＣＰＵ２１は、項目決定スイッチ１３からの決定信号に応動してカーソル４４が指示するキー項目のキー処理業務を実行するキー処理業務制御手段を構成する。
【００３８】
このように構成された本実施例の電子式キャッシュレジスタにおいては、客買上商品の販売登録を開始する前は、テーブル番号カウンタ５２のカウント値は“１”である。このため、正面表示器３におけるキー項目表示エリア４３の各表示領域４３ａには、図１３（ａ）に示すように、前記ファンクションキーボード２ｂに設けられている各種の商品登録用キーのうち客買上商品の販売登録開始前に操作可能なキー（責任者キー，入金キー，両替キー，クリアキー，取消キー等）の項目名称が表示されている。また、表示領域４３ｂに表示されるカーソル４４は、座標（１，１）の位置、この場合、責任者キーの位置に表示されている。
【００３９】
この状態で、客が買上商品の会計を申し出た場合、キャッシャは、ハンドスキャナ９を持って客買上商品に付されたバーコードにハンドスキャナ９の読取り窓１０を押し当てて、バーコードつまりは商品コードを読取り操作する。そうすると、その商品コードに基づいて商品販売データの売上登録処理が行われる。そして、正面表示器３の表示エリア４１及び客面表示器４には登録商品の明細データが表示される。また、テーブル番号カウンタ５２のカウント値が“２”に更新される。その結果、正面表示器３におけるキー項目表示エリア４３の各表示領域４３ａには、図１３（ｂ）に示すように、客買上商品の販売登録中に操作可能なキー（小計キー，リピートキー，値引キー，クリアキー，取消キー等）の項目名称が表示される。また、表示領域４３ｂに表示されるカーソル４４は、座標（１，１）の位置、この場合、小計キーの位置に表示される。
【００４０】
この状態で、同一客が買上げる別商品の登録を行う場合、キャッシャは同様にしてハンドスキャナ９により商品に付されたバーコードつまりは商品コードを読取り操作する。そうすると、上記と同様にして登録商品の売上登録処理が行われる。このとき、キー項目表示エリア４３の表示内容は変化しない。
【００４１】
また、同一客が買上げる別商品が前回登録した商品と同一商品の場合には、リピートキーを入力することで、直前登録メモリ５６内の商品コード、つまりは前回登録した商品のコードに基づいて売上登録処理が行われるようになっている。この場合において、従来はハンドスキャナ９を一旦キャッシュレジスタ本体１の上等に戻すか他方の手でファンクションキーボード２ｂ上のリピートキーを操作していたが、この実施例では、ハンドスキャナ９を持った手でカーソル移動手段１２を操作することによりカーソル４４をキー項目名称「リピート」の位置に移動させた後、同じくハンドスキャナ９を持った手で項目決定スイッチ１３を操作すればよい。こうすることにより、リピートキーのキー項目コードが入力されてファンクションキーボード２ｂ上のリピートキーを操作した場合と同様のリピートキー処理が実行される。
【００４２】
また、１客が買上げる全商品の登録を終了した場合においても、従来はファンクションキーボード２ｂ上の小計キーを操作していたが、この実施例では、ハンドスキャナ９を持った手でカーソル移動手段１２を操作することによりカーソル４４をキー項目名称「小計」の位置に移動させた後、同じくハンドスキャナ９を持った手で項目決定スイッチ１３を操作すればよい。こうすることにより、小計キーのキー項目コードが入力されてファンクションキーボード２ｂ上の小計キーを操作した場合と同様の小計キー処理が実行される。
【００４３】
そして、この小計キー処理が実行されたことに応じて、テーブル番号カウンタ５２のカウント値が“３”に更新される。その結果、正面表示器３におけるキー項目表示エリア４３の各表示領域４３ａには、図１３（ｃ）に示すように、客買上商品の小計出力中に操作可能なキー（現金支払い締めキー，クレジット支払い締めキー，クーポン支払い締めキー，クリアキー，取消キー，割引キー等）の項目名称が表示される。また、表示領域４３ｂに表示されるカーソル４４は、座標（１，１）の位置、この場合、現金支払い締めキーの位置に表示される。
【００４４】
そこで、この客が例えば現金による代金支払いを申し出た場合には、従来はファンクションキーボード２ｂ上の現金支払い締めキーを操作していたが、この実施例では、カーソル４４がキー項目名称「現計」に位置しているので、ハンドスキャナ９を持った手で項目決定スイッチ１３を操作する。こうすることにより、現金支払い締めキーのキー項目コードが入力されてファンクションキーボード２ｂ上の現金支払い締めキーを操作した場合と同様の現金支払い締めキー処理が実行される。
【００４５】
その後、テーブル番号カウンタ５２のカウント値は“１”に更新されて、正面表示器３におけるキー項目表示エリア４３の表示内容は、図１３（ａ）に示す状態に戻る。
【００４６】
このように、本実施例の電子式キャッシュレジスタは、画面上にカーソルを表示可能な正面表示器３のキー項目表示エリア４３に、ファンクションキーボード２ｂに設けられている各種の登録用キーのなかで次に操作可能なキーの項目、すなわち客買上商品の販売登録開始前であればその開始前に操作可能なキー（責任者キー，入金キー，両替キー，クリアキー，取消キー等）のキー項目を、また販売登録中であればその登録中に操作可能なキー（小計キー，リピートキー，値引キー，クリアキー，取消キー等）の項目を、さらには小計出力中であればその出力中に操作可能なキー（現金支払い締めキー，クレジット支払い締めキー，クーポン支払い締めキー，クリアキー，取消キー，割引キー等）の項目を表示するようにしている。
【００４７】
また、ハンドスキャナ９の握り部９ａの近傍に、上記カーソル４４を移動させるカーソル移動手段１２と、このカーソル４４が指示したキー項目の決定を指令する項目決定スイッチ１３とを設けて、ハンドスキャナ９を持ったままその手でカーソル移動手段１２及び項目決定スイッチ１３を操作可能にしている。そして、項目決定スイッチ１３の操作により発生した決定コード信号に応動して、カーソル４４が指示するキー項目のキー処理業務を実行するように構成されている。
【００４８】
従って、預り金額を入力する必要のない支払いの場合にはハンドスキャナ９から手を放すことなくそのスキャナ９を持った方の手で１客が買上げる商品の登録開始から終了までに必要な一連のファンクションキー入力操作が可能となる。その結果、ハンドスキャナ９を一旦キャッシュレジスた本体１の上等に置いたり、ハンドスキャナ９を持ったまま他方の手でキーボード２ｂを操作するような煩雑な操作の回数が大幅に低減されるので、操作性の向上を図り得る。
【００４９】
また、この場合において、ハンドスキャナ９にはカーソル移動手段１２及び項目決定スイッチ１３を付加しただけなので、ハンドスキャナ９が大型化したり重量が重くなる等の問題は生じ得ず、実用的である。
【００５０】
なお、本発明は前記実施例に限定されるものではない。例えば、前記実施例では、各種登録用キーのなかで次に操作可能なキーの項目として、客買上商品の販売登録開始前に操作可能なキーの群と、客買上商品の販売登録中に操作可能なキーの群と、客買上商品の小計出力中に操作可能なキーの群の３パターンを示したが、これ以外のパターンを表示部に表示可能にしてもよいのはいうまでもないことである。
【００５１】
また、キー項目表示エリア４３を細分化することによりキーボード２に配設されている全てのキー項目を表示させ、これらのキー項目をハンドスキャナ９に設けられたカーソル移動手段１１によって移動されるカーソルによって選択可能にしてもよく、こうすることによってキーボード２を不要にできる効果を奏する。
【００５２】
また、前記実施例では預り金額の入力をキーボード２から行ったが、例えば現金支払い締めキーのキー項目コードが入力されたとき、キー項目表示エリア４３の表示を置数キーの表示に切換えるように構成することで、預かり金額の入力もハンドスキャナ９から行えるようになる。こうすることにより、登録締めまででなく登録終了までもキーボード２の操作を不要にできる効果を奏する。
【００５３】
この他、本発明を商品に付された数字記号を直接読取るＯＣＲ（光学式文字読取り）スキャナに適用する等、本発明の要旨を逸脱しない範囲で種々変形実施可能であるのは勿論である。
【００５４】
【発明の効果】
以上詳述したように本発明によれば、画面上にカーソルを表示可能な表示部に各種登録用キーの項目を表示するとともに、ハンドスキャナにカーソルを移動させるカーソル移動手段と、このカーソルが指示したキー項目の決定を指令する項目決定スイッチとを設け、ハンドスキャナを持ったままカーソル移動手段及び項目決定スイッチを操作可能にし、項目決定スイッチの操作により発生した決定コード信号に応動して、カーソルが指示するキー項目のキー処理業務を実行するようにしたので、ハンドスキャナの小型，軽量化を図りつつ、そのハンドスキャナから手を放すことなく多数のキーを入力することができ、１客が買上げる商品の登録開始から締めまでの間でキーボードの操作を不要にできて操作性の向上を図り得る電子式キャッシュレジスタを提供できる。
【図面の簡単な説明】
【図１】本発明の一実施例である電子式キャッシュレジスタの外観斜視図。
【図２】同実施例におけるキーボードの主要なキー配置を示す平面図。
【図３】同実施例におけるハンドスキャナの側面図及び平面図。
【図４】同実施例である電子式キャッシュレジスタの要部構成を示すブロック図。
【図５】同実施例における正面表示器の画面構成を示す平面図。
【図６】同実施例のＲＡＭに形成される主要なメモリエリアを示す図。
【図７】同実施例のＣＰＵが実行するキー項目表示処理を示す流れ図。
【図８】同実施例のＣＰＵが実行するスキャナ入力処理を示す流れ図。
【図９】図８に示す商品登録処理を具体的に示す流れ図。
【図１０】図８に示すカーソル移動処理を具体的に示す流れ図。
【図１１】図８に示すキー処理のうち小計キー処理を具体的に示す流れ図。
【図１２】図８に示すキー処理のうち締めキー処理を具体的に示す流れ図。
【図１３】同実施例の作用説明において使用する正面表示器の画面表示例を示す平面図。
【符号の説明】
１…キャッシュレジスタ本体
２…キーボード
３…正面表示器
４…客面表示器
９…ハンドスキャナ
１２…カーソル移動手段
１３…項目決定スイッチ
２１…ＣＰＵ
４３…キー項目表示エリア
４４…カーソル
５１…キー項目テーブル
５２…テーブル番号カウンタ
５３…Ｘ座標カウンタ
５４…Ｙ座標カウンタ
【図１】
0003567009.tif 000002
【図２】
0003567009.tif 000003
【図３】
0003567009.tif 000004
【図４】
0003567009.tif 000005
【図５】
0003567009.tif 000006
【図６】
0003567009.tif 000007
【図７】
0003567009.tif 000008
【図８】
0003567009.tif 000009
【図９】
0003567009.tif 000010
【図１０】
0003567009.tif 000011
【図１１】
0003567009.tif 000012
【図１２】
0003567009.tif 000013
【図１３】
0003567009.tif 000014